Podtech/llm-jp-corpus-v4-ja_patent huggingface dataset:
(57)【要約】【課題】  従来の皮膚に接触させて使用する鍼は、金属製や木製・プラスチック製などの硬質素材で形成されており、皮膚に対し押して使用するか圧をかけながら使用するか、皮膚を摩擦するような使用方法を取ってきた。また素材が硬質のため与える感覚は痛覚・触圧覚・冷覚であり、軽度の刺激のみを与えることは出来なかった。【解決手段】  皮膚に接触する鍼先部分をシリコンゴムなどの軟性素材で形成し、痛覚・触圧覚・冷覚を感じさせることなく、皮膚に与える圧を３０グラム以内に制限することで、軽度の触覚のみを興奮させることが出来、独特の身体反応を有効に発現させることが出来るものである。【選択図】  図４
2008272319.tif 000002
【特許請求の範囲】
【請求項１】
シリコンゴムなどの軟性素材で形成し、１０グラムの重さで変形し圧を吸収する鍼先・鍼体を有し、それに柄を付け扱いやすくした鍼治療用の鍼。
【請求項２】
軟性素材で形成した鍼先・鍼体を有する鍼を、０．５グラムから３０グラムまでの重さの圧で、皮膚上を滑らせるように移動させ触覚のみを興奮させ、人体に効果的反応を導き出す使用方法。
【発明の詳細な説明】
【技術分野】
【０００１】
本発明は、鍼治療で使用する接触鍼と使用方法に関する。
【背景技術】
【０００２】
従来の皮膚に鍼を接触させ使用する鍼は金属製や木製・プラスチック製の硬質素材で出来ている。（例えば、特許文献１参照。）その使用方法は圧迫し触圧覚・痛覚を興奮させる方法を使う。
【０００３】
【特許文献１】特開２００１−２８６５３３号公報
【特許文献２】特開平７―８８１４７号公報
【特許文献２】特開平１１―７６３６４号公報
【発明の開示】
【発明が解決しようとする課題】
【０００４】
解決しようとする課題は、現在までの皮膚に接触させて行う鍼治療は皮膚に圧をかける方法であるか刺入するための鍼を使用していたため、しばしば痛覚を与えてしまっていた。素材は金属製や木製・プラスチック製などの硬質素材で形成されている。そのため受ける刺激は痛覚・圧覚・冷覚が主である。
【課題を解決するための手段】
【０００５】
本発明の特徴は痛覚・圧覚・冷覚を興奮させずに触覚のみを興奮させるために、鍼の先端部分を、シリコンゴムなど軟性の素材で形成し、本鍼を通し皮膚に対して重さをかけた場合に１０グラム以内に変形し、皮膚に対しての圧を分散することが出来なければならない。皮膚に接触する部分は痛覚を起こさせない形状である事が必要で鋭利であってはならない。
【発明の効果】
【０００６】
本発明は軽い触覚・くすぐったい触覚を効果的に興奮させる事が出来るようにしたものであり、鍼治療に際し痛いという恐怖心を除去することが出来、心地よい感触を与えることが出来るものである。
【発明を実施するための最良の形態】
【０００７】
皮膚に接触する先端部分は、平面状か丸みを帯びさせる。先端の直径は０．２ミリメートル以上５ミリメートル以内で形成され、長さは１０グラムの重さで変形出来る長さであればよい。形状は細い円錐形又は円柱か角柱・角錐で、これに柄を付けて操作し易いように形成する。
【実施例１】
【０００８】
本鍼の使用方法は、先端を皮膚面に対し滑らせるように移動させ、その際に０．５グラムから３０グラム以内の重さをかける。これにより軽い触覚を認識し人体は反応を起こす。
【実施例２】
【０００９】
使用例としては、本鍼を臀部から腰・背部にかけて皮膚に接触させるように滑らせ刺激を与えると心拍数は減少し、皮膚温は上昇する。痛覚がないために副交感神経の機能を優位にすることが出来る。
【図面の簡単な説明】
【００１０】
【図１】先端を平面に形成した鍼先の一例の側面平面図
【図２】先端に丸みを帯びさせて形成した鍼先の一例の側面平面図
【図３】先端部分に柄を取り付け形成した場合の一例の側面平面図
【図４】鍼先を皮膚に接しさせ使用する場合の鍼先の状態を示した図
【符号の説明】
【００１１】
a  皮膚に接触する先端部分
b  柄の部分
c  皮膚に接触し０．５グラム程度の重さをかけた時の鍼先の状態
d  皮膚に２０グラムから３０グラムの重さをかけ変形し皮膚への圧を逃がした時の       鍼先の状態
e  皮膚にかける重さの方向
f  鍼先が変形する場合の皮膚にかける重さの方向
g  鍼を皮膚上で移動させる方向
【図１】
2008272319.tif 000003
【図２】
2008272319.tif 000004
【図３】
2008272319.tif 000005
【図４】
2008272319.tif 000006
(57)【要約】【課題】  従来、軸となる棒の両端に綿塊を設けた綿棒にあっては、軸の中心を境としてその両側が同一の仕様となった綿棒があったが、これでは一方の綿塊のみを耳垢除去や液体塗布等に使用した状態で保管し、あるいは床に落下させる等して手放した場合、のちに再びその綿棒を使用しようとしたときにどちらの綿塊が使用済みであるかを判別し難いという難点があった。【解決手段】  本発明は、綿棒の軸となる棒の中心よりどちらか一方（１）が他方（２）と、あるいは同軸の両端に設けられた綿塊のどちらか一方（３）を他方（４）と、異なる色に着色した綿棒を提供することにより、上記課題を解決するものである。【選択図】図１
2008272396.tif 000002
【特許請求の範囲】
【請求項１】
軸となる棒の中心よりどちらか一方を他方と、あるいは同軸の両端に設けられた綿塊のどちらか一方を他方と、異なる色に着色した綿棒。
【発明の詳細な説明】
【技術分野】
【０００１】  本発明は、耳垢、鼻水等を除去する際に使用する綿棒に関するものである。
【背景技術】
【０００２】  従来、軸の両端に綿塊が設けられた綿棒にあっては、軸部分とその両端に設けられた綿塊部分がそれぞれ単色である等、中心点を境としてその両側が同じ仕様であった。
【発明の開示】
【発明が解決しようとする課題】
【０００３】  しかしながら、従来の技術では、どちらか一方の綿塊のみを耳垢除去あるいは液体塗布等に使用した状態で保管し、あるいは床に落下させる等して手放した場合、その綿塊の汚れがわずかであると、後にもう一方の綿塊を使用しようとするとき、どちらの綿塊が使用済みであるか判別し難いという難点があった。
【課題を解決するための手段】
【０００４】  本発明は、軸となる棒の中心よりどちらか一方が他方と、あるいは同軸の両端に設けられた綿塊のどちらか一方を他方と、異なる色に着色した綿棒を提供することにより、上記課題を解決するものである。
【発明の効果】
【０００５】  請求項１の発明によれば、どちらか一方の綿塊を使用し終えた状態で保管しておいた場合でも、後にその綿棒を使用する際、どちらの綿塊が使用済みの綿塊であるかをすぐに判別することができる。
【発明を実施するための最良の形態】
【０００６】  軸の両端に設けられた綿塊のどちらか一方を使用した後に、再びその綿塊を使用する際、前回使用した綿塊と色を異にする側の綿塊を使用する。
【図面の簡単な説明】
【０００７】
【図１】    軸となる棒部分に着色した図面である。
【図２】    どちらか一方の綿塊に着色した図面である。
【図３】    軸と綿塊に着色した図面である。
【符号の説明】
【０００８】    １    軸となる棒の中心よりどちらか一方
２    軸となる棒のうち１と異なる側
３    一方の綿塊
４    ３の反対側の綿塊
【図１】
2008272396.tif 000003
【図２】
2008272396.tif 000004
【図３】
2008272396.tif 000005
(57)【要約】【課題】  本発明は、髪ブラシやマッサージに使用できると共に髪に油分を与える竹具とその製造方法を提供する。【解決手段】  竹の竹節を底辺と上面が開口となるように略円筒状に切断し、開口部から竹節方向に順次切り込みを入れる事で周側面全体に櫛を形成し櫛の拘束により形状が変化する前に椿油やオリーブオイル等野の髪に栄養を与える油を櫛の歯の拘束を抑制する量まで含浸させたことを特徴とする竹具の製造方法である。【選択図】図１
2008272395.tif 000002
【特許請求の範囲】
【請求項１】
竹の竹節を底辺と上面が開口となるように略円筒状に切断し、開口部から竹節方向に順次切り込みを入れる事で周側面全体に櫛を形成し櫛の拘束により形状が変化する前に椿油やオリーブオイル等野の髪に栄養を与える油を櫛の歯の拘束を抑制する量まで含浸させたことを特徴とする竹具の製造方法である。
【請求項２】
竹の節を底辺として上部が開口になるように略円筒状に切断し、開口部から竹節方面に順次切り込みを入れることで周側面全体に櫛を形成し、櫛の収束により略円錐状に変形した後椿油やオリーブオイル等の髪や、頭皮に栄養分を与える油を含浸させる。
【請求項３】
竹櫛を利用して側面全体に櫛状にした竹具であって、椿油やオリーブオイル等の髪や頭皮に栄養分を与える油を含浸させたことを特徴とする含浸竹具。
【発明の詳細な説明】
【技術分野】
【０００１】  本発明は、髪ブラシやマッサージに使用できると共に髪に油分を与える竹具とその製造方法に関するものである。
【技術背景】
【０００２】  従来のブラシは、プラスチック製品や天然素材をそのまま使用したツゲの櫛があった。
このブラシはブラシ素材を生かした考案である。
【発明を解決しようとする課題】
【０００３】  従来のプラスチック製品では髪、地肌を痛め硬さによるタッピングの非対応性がある。
また、髪に養分を含ませることが出来ない。
【発明を解決するための手段】
【０００４】  竹櫛を底辺とし、上面が開口となる略円筒状に切断し、開口部から竹節方面に順次切込みを入れることで周全体に櫛を形成し、櫛「青竹」の収縮により形状が変化する前に椿油やオリーブ油等の髪に養分を与える油を櫛の収縮を抑制するまで含油させることを特徴としている。
【発明の効果】
【０００５】  竹櫛の形状が握りやすく肌の形状に開口部が良くフイットし快適な坪刺激が可能となる。
また、油分を含んだブラシは髪、地肌に養分を与えタッピング効果は血液の循環を良くし頭皮の健康に役に立つ。
【発明を実施するための最良の形態】
【０００６】  以下発明の形態について、図１〜図４を用いて説明する。
本発明は、竹、椿油等油分で作る。先ず竹を底辺があり上面が開口となるように一節、適量の長さで切断する。
切断した竹を上辺から竹節に向かって縦に切り込みを等間隔で周全体に入れる。
この際図に示すように竹節側は切り込みの幅を狭く開口部は広く削る。
竹を自然乾燥させ等間隔で櫛利用可能範囲で図２および図３に示すように円錐状に収縮させる。
また、開口部を収縮させない円筒状のブラシを作る。
これは、髪量の多小長短に関わらず使いやすい形状のブラシである（図５参照、図７参照）。
竹は竹節に向かって切り込みを周全体に入れる。
竹節側と開口部は切り込みの幅は同じにする。
削ったら青竹状態ですぐ油分につけ乾燥して竹の収縮するのを避け油分含有ブラシとする（図５参照）。
製造方法としては、竹を竹節を底辺とし上部は次の竹節に至る前に切断し開口状態として竹筒１切り出す。
次に、図１に示すように上方から底辺方向へ向けて、側面全体に切り込み３を設け、櫛歯２を形成する。
この切り込に関しては、上方から下方に向けて、幅が狭くなる形状となっている。
切込みを入れ時間がたつにつれ竹が収縮をおこし上端が内側に傾斜していくが、図３に示すように櫛として利用可能な切り込み間隔を残している状態になったときに椿油などの頭皮髪に養分を与える油に浸す。
竹が十分に油を含浸した油分が櫛歯２から髪及び頭皮に適度な油分を与える。
また、ブラッシング以外に先端の円形部が当たる角度で軽くタッピングすることでタッピング部位の血行促進に役立つ。
櫛歯の油分が摩擦を低下させるので、髪や皮膚を傷つけることを防止する役目も果たす。
【実施例】
【０００７】  以下、第２実施の形態について、図５〜７を用いて説明する。
本発明は開口部の形状を円筒状に作りブラシの役目をする。
まず、竹を底辺４（竹節）があり、上面が開口となるように適量の長さで切断する。
切断した竹を上面から竹節方面に向かって縦に切り込みを等間隔で周側全体に入れる。
竹の底辺側も開口部も同じ幅に削る（図５参照）。
開口部は自然乾燥を避けるため歯の切り込み終了後、即油分を含ませる。
充分に油分を含ませ収縮させない。
【図面の簡単な説明】
【０００８】
【図１】    本発明の切り出したときの正面図である。
【図２】    本発明の断面図である。
【図３】    本発明の斜面図である。
【図４】    本発明の使用状態を示した説明図である。
【図５】    本発明のその他の実施例を示した正面図である。
【図６】    本発明のその他の実施例を示した断面図である。
【図７】    本発明のその他の実施例を示した斜面図である。
【符号の簡単な説明】
【０００９】    １  竹筒
２  櫛歯
３  切り込み
４  底辺
【図１】
2008272395.tif 000003
【図２】
2008272395.tif 000004
【図３】
2008272395.tif 000005
【図４】
2008272395.tif 000006
【図５】
2008272395.tif 000007
【図６】
2008272395.tif 000008
【図７】
2008272395.tif 000009
(57)【要約】【課題】大腿骨頚部骨折の手術の内固定材料の工夫で，骨頭の穿孔を防ぐ為に，スライディングネイルのスクリュ−刃を取り除き，穿孔を起こし難くした。スライディングネイルの脱落と過度のスライドを防ぐ為にスプリングコイルを，使いスプリングコイル付きスライディングネイルを提供する。【解決手段】スライディングネイル（１）にスプリングコイル（２）をはめた．骨折内固定材料を特徴とする。【選択図】図１
2008272399.tif 000002
【特許請求の範囲】
【請求項１】
スライディングネイルにスプリングコイルを，付けた，骨折内固定材料
【発明の詳細な説明】
【技術分野】
【０００１】  この発明は、スライデイングネイルにスプリングを設けた骨折内固定材料に関するものである。
【背景技術】
【０００２】従来，スライディングネイルには，ねじ  が付けてありスプリングは付いて居なかった。
【発明の開示】
【発明が解決しようとする課題】
【０００３】これは次のような欠点があった。
（イ）従来は，スライディングネイル先にはスクリュ−刃が付けて在る為に  刃が骨を突き破る事が在った
（ロ）スライディングネイルが過度にスライドしてしまう事も在った
本発明は，以上のような欠点を無くす為になされたものである。
【課題を解決するための手段】
【０００４】スライディングネイル（１）にスプリング（２）をつける。
本発明は，以上の構成よりなるスライディングネイルである。
【発明の効果】
【０００５】スライディングネイル先にスクリュ−刃を付け無くても良くなり刃が骨を突き破る事が無くなる。
過度のスライディングも無くなる。
【発明を実施するための最良の形態】
【０００６】以下，本発明を実施するための最良の形態について説明する。
スライディングネイル（１）の尾側（７）から，スプリングコイル（２）をはめる。
スライディングネイル（１）を骨折部（４）の場所から頚部（５）を通過させて，骨頭の中（６）までスライディングネイル（１）の頭側（８）を入れる。
次いで，支持プレ−ト（３）をスライディングネイル（１）の尾側（７）にはめる。
最後に，支持プレ−ト（３）を大腿骨（９）に固定して手術が完了する。
【図面の簡単な説明】
【０００７】
【図１】  本発明の側面透視図である。
【図２】  本発明の平面透視図である。
【図３】  本発明の側面分解図である。
【符号の説明】
【０００８】  １  スライディングネイル
２  スプリングコイル
３  支持プレ−ト
４  大腿骨などの骨折部
５  大腿骨などの頚部
６  大腿骨などの骨頭部
７  スライディングネイル（１）の尾側
８  スライディングネイル（１）の頭側
【図１】
2008272399.tif 000003
【図２】
2008272399.tif 000004
【図３】
2008272399.tif 000005
(57)【要約】【課題】紙の質や、摘み上げる角度や早さにとらわれず、コツを必要としないで簡単にカット出来るロール紙カット具を提供する。【解決手段】ロール紙カット具５は、刃体２と重錘１とより成り、重錘１は刃体２上方の任意面、任意位置に載置される。【選択図】図１
2008272397.tif 000002
【特許請求の範囲】
【請求項１】
刃体と重錘とより成り、重錘は刃体上方の任意面任意位置に載置されることを特徴とするロール紙カット具。
【発明の詳細な説明】
【技術分野】
【０００１】  本発明は、トイレットペーパーのロール紙をカットするロール紙カット具に関する。
【背景技術】
【０００２】  従来、トイレットペーパーのロール紙は壁面に固着した紙巻器の芯受けにロール紙の芯筒を挿入し、回動自在に保持されていた。このロール紙上面には軸止された蓋が載上していて、このロール紙をカットするには、片方の手でこの蓋を押し下げてロール紙の回転を止め、もう一方の手でロール紙の端側を引いてミシン目からカットするか、摘み上げて蓋の先縁でカットしていた。【０００３】  又、片手でロール紙をカット出来る紙巻器としては、蓋の先縁から略ノコ刃状のカット刃が突出し、その蓋の軸支部にはネジリコイルバネが係着され、このネジリコイルバネの復元力により、カット刃が常にロール紙を押圧するワンハンドカット機能付き紙巻器が主流であった。
【発明の開示】
【発明が解決しようとする課題】
【０００４】  上記紙巻器に保持されているロール紙をカットする場合。ワンハンドカット機能のついていない紙巻器では必ず両手を使わなければならず、両手を使用することが出来ない人の場合は非常に困難であった。又、ワンハンドカット機能付き紙巻器でのロール紙カットは、ロール紙の端側を摘み上げる角度や引く早さによってうまくカット出来ず、コツが必要であった。ロール紙の直径が減少してくるとネジリコイルバネの復元力が弱まるため、カット刃の押圧力も弱まり紙質によってはうまくカットするのが困難であった。【０００５】  本発明は、斯かる事情に鑑みてなされたもので、従来の前記問題を一挙に解決することが出来る、ロール紙カット具を提供することを目的とする。
【課題を解決するための手段】
【０００６】  前記目的を達成するために、本発明のロール紙カット具は刃体と重錘とよりなり、重錘は刃体上方の任意面任意位置に載置されることを特徴とする。
【発明の効果】
【０００７】  本発明のロール紙カット具は、ロール紙上面に載上している刃体の上方の面に重錘を載置しているため、その重さで常にロール紙を刃体が押圧している。この機構によりロール紙の直径が減少してもロール紙への刃体の押圧力が然程変化することなく、ロール紙のカットは、ロール紙の端側を摘み上げる早さや角度にも影響されず、コツも必要とせず必要な量だけ片手で簡単にカット出来、又、紙質にも左右されない。【０００８】  尚、本発明での「押圧」とは、下方に力が働く意であり、「重錘」とはおもりを指す。
【発明を実施するための最良の形態】
【０００９】  本発明の実施の形態を添付図面に例示した本発明の実施例に基づいて、以下に具体的に説明する。【００１０】  添付図面において、図１は本発明のロール紙カット具を紙巻器に装着した状態を示す一部を破断した斜視図、図２は図１に装着されたロール紙カット具の斜視図、図３は本発明のロール紙カット具の他例を示す一部を破断した斜視図、図４は刃体が蓋を兼ねたロール紙カット具の斜視図を示す。【００１１】  まず、図１と図２において、刃体２と重錘１にはバンド３が介在している本発明のロール紙カット具５で、刃体２の左右両側には伸縮するバンド３の両端が固着され、刃体２の刃先が蓋６の先端より突出する位置にバンド３を伸長して蓋６を挿入し装着している。又、このバンド３には重錘１と対応する係止具が係止され重錘１が保持されている。【００１２】  このような機構のため、このロール紙カット具５は伸縮するバンド３を引き伸ばして蓋６に嵌めるだけで非常に簡単に装着出来る。【００１３】  また、蓋６に伸縮するバンド３と刃体２を局部的にそれぞれ両面テープで接着するとより安定した装着が出来る。又、バンド３の蓋６への接着位置を変えることにより重錘１の位置も変わり、刃体２の押圧力を変えることが出来る。【００１４】  図３は重錘１を保持した化粧カバー４と刃体２に伸縮するバンド３が介在したロール紙カット具５で、刃体２と化粧カバー４の間にはそれぞれ左右側の対向面に伸縮するバンド３の端がそれぞれ固着され、その左右の伸縮するバンド３を伸ばし、刃体２と化粧カバー４のあいだに蓋６を挿入して装着している。この時、刃体２の刃の部分が蓋６の先縁より突出している。化粧カバー４は重錘１に対応する係止具が係止され重錘１を保持している。【００１５】  図４は刃体２が蓋５を兼ね、その刃体２に直接重錘１を固着したロール紙カット具５である。この刃体２は重錘１と対応する係止具を一体成形出来るため、コスト節減が図られる。又、重錘１の着脱がより一層簡単に出来る。【００１６】  重錘１は簡単に着脱出来るので、色々な形状やキャラクターの重錘１と交換すことで、トイレの雰囲気を変えることが出来、インテリアとしても変化を追及することが出来る。【００１７】  以上本発明の実施例について説明したが、本発明はその実施例に限定されることなく、本発明の範囲内で種々の実施例が可能である。例えば、前記実施例では「化粧カバー４が重錘１を係止具で保持している」としているが、化粧カバー４に重錘１を収納する袋を縫製しても良く、この袋がキャラクターを表現しても良い。又、重錘１と刃体２の蓋６への装着は伸縮するバンド３を介在させて装着しているが締め付ける機能があればこれに限らず、或いは接着材で接着してもよい。
【図面の簡単な説明】
【００１８】
【図１】  本発明によるロール紙カット具を紙巻器に装着した状態を示す一部を破断した斜視図
【図２】  本発明によるロール紙カット具の斜視図で紙巻器に装着する前の図
【図３】  本発明によるロール紙カット具の他例を示す斜視図
【図４】  刃体が蓋を兼ねた本発明によるロール紙カット具の斜視図
【符号の説明】
【００１９】１．．．．．重錘
２．．．．．刃体
３．．．．．バンド
４．．．．．化粧カバー
５．．．．．ロール紙カット具
６．．．．．蓋
７．．．．．紙巻器
８．．．．．ロール紙
【図１】
2008272397.tif 000003
【図２】
2008272397.tif 000004
【図３】
2008272397.tif 000005
【図４】
2008272397.tif 000006
(57)【要約】【課題】気持ち良さに欠ける浴用ボディタオルの生地をたぐり寄せ、ひだを設けるだけで硬くなり泡立ちも良くなり肌に気持ち良さを提供する。【解決手段】浴用ボディタオルの生地（１）の中程に、数箇所たぐり寄せ、ひだ（２）を設け糸（３）で縫い合わせ凸凹部を設け、使って気持ち良い浴用ボディタオルを特徴とする。【選択図】図１
2008272391.tif 000002
【特許請求の範囲】
【請求項１】
（イ）浴用ボディタオル（１）の中程に数箇所生地をたぐり寄せて数箇所のひだ（２）を設ける。
（ロ）ひだの根元を糸（３）で縫い合せ凸凹部を設ける。この時、ボディタオルの表と裏に同じ様にひだを造るが、表と裏とのひだの大きさを変えても良い。
以上の構成よりなる、使って気持ち良いひだ付凸凹浴用ボディタオル。
【発明の詳細な説明】
【技術分野】
【０００１】この発明は、浴用で肌に気持ち良く、泡立ちの良いボディタオルに関するものである。
【背景技術】
【０００２】従来、浴用ボディタオルは、
▲１▼素材の違い（綿、ナイロン、ポリエステル、ポリエチレン、麻と綿混紡等）
▲２▼長さ、巾の違い（長さ７０ｃｍ位〜１２０ｃｍ位：巾２６ｃｍ位〜３５ｃｍ位）
▲３▼生地の織り方の違い（平織り、又はラッセル編み、等）
▲４▼一枚物、二枚重ね、等
上記のような違いで、肌に「やわらかい」「ふつう」「かため」と表示されている。
【発明の開示】
【発明が解決しようとする課題】
【０００３】これらは次のような欠点があった。
従来の浴用ボディタオルは、石鹸・ボディソープをつけて泡立てると、全てがそれなりに「やわらかい」になってしまい、身体をこすると、みんな物足りない感じであった。
本発明は、以上のような欠点を、無くす為になされたものである。
【課題を解決する為の手段】
【０００４】浴用ボディタオル（１）の表と裏の中程に、数箇所生地をたぐり寄せて数箇所のひだ（２）を設け、ひだの根元を糸（３）で縫い合せて凸凹部を設ける。
本発明は以上の構成よりなる、気持ち良く洗える浴用ボディタオルである。
【発明の効果】
【０００５】ひだがたわしのようになるのでその箇所がより硬くなり、泡立ちも良く、肌に気持ち良く感じられ体を洗った後の爽快感が得られるし、心身を癒す。
【発明を実施するための最良の形態】
【０００６】以下、本発明を実施するための、最良の形態について説明する。
浴用ボディタオル（１）の真中から左右に何箇所かひだ（２）を設け根元を糸（３）で縫い合せ凸凹部を設ける。このひだ（２）は表と裏が同じ大きさでもよく、又は表と裏のひだ（２）の大きさを変えると、肌触りが違う気持ち良さが感じられる。
本発明は、以上のような構造である。
これを使用する時は、いったん洗い桶のお湯に浴用ボディタオルをひたし、湿らせてから、石鹸又はボディソープを、ひだ（２）の箇所につけて使用すると、効果バツグンである。
【図面の簡単な説明】
【０００７】
【図１】本発明の斜視図である。
【図２】本発明の断面図である。
【符号の説明】
【０００８】  １．浴用ボディタオルの生地
２．生地を寄せてひだ設け凸凹部を設ける
３．糸でひだの根元を縫い合せる
【図１】
2008272391.tif 000003
【図２】
2008272391.tif 000004
(57)【要約】【課題】スナック菓子を食べるとき直接素手で摘んで食べると不衛生であり、指が汚れる。コレを防止するために箸やスプーンやフォークを使うと非常に食べにくい。これらの不都合を解決するスナック菓子食事補助用具の提供。【解決手段】指に装着して指の動きと連動する用具でこの課題を解決する。【選択図】図２
2008272394.tif 000002
【特許請求の範囲】
【請求項１】
指に装着して使う事を特徴とするスナック菓子食事補助用具である。
【請求項２】
自立する構造を有する事を特徴とする請求項１のスナック菓子食事補助用具。
【請求項３】
動物の形をした請求項１、２のスナック菓子食事補助用具である。
【発明の詳細な説明】
【技術分野】
【０００１】本発明はスナック菓子を食する時に使用する用具に関する。
【背景技術】
【０００２】従来からスナック菓子を食する時は直接素手で食している。【０００３】ごく稀に箸やスプーン、フォークを使用している場合がある。
【発明の開示】
【発明が解決しようとする課題】
【０００４】従来からスナック菓子を食する時は直接素手で食べていたが、これだと指が汚れるし不衛生である。これを防ぐためごく稀に箸やスプーン、フォークを使用するものもあるがスナック菓子においては非常に使いにくい。手袋の使用も考えられるがスナック菓子を食すには雰囲気を壊すし、スナック菓子を食べながら本をめくるとか、パソコンを操作する場合においては、これらを汚さないためにいちいち手袋を外さなければならず、実際の使用については現実的でない。よって、これらの不都合を無くすことを課題とする。
【課題を解決する手段】
【０００５】この課題を解決するための請求項１の発明は、指先に装着して使うスナック菓子を食べる時に使う食事補助用具である。親指と人差し指でスナック菓子を摘むのと同じ操作により、スナック菓子を摘んで食べる事ができるので食べやすく、手が汚れないし衛生的である。また、装着したり外したりは容易であり面倒がない。
【０００６】請求項２の発明は上記用具をテーブル等に置く際、スナックを摘んで口に入れる用具の先端部分が直接テーブル等に触れないようにするためのものである。これにより用具とテーブル等両方の衛生を保つことが出来るのである。
【０００７】請求項３の発明は動物の形をしたスナック菓子食事補助用具である。これによりスナック菓子を食べる楽しみを増すことが出来ると同時に、ある程度の大きさにする事で誤飲を防ぐ事が出来るのである。
【発明の効果】
【０００８】本発明によりスナック菓子を食する時、素手で直接スナック菓子を触る事がなくなるので指が汚れず衛生的に食べる事ができる上に指先感覚で摘む事ができるので、箸やスプーンやフォークに比べ格段に食べやすい。
【０００９】食事の楽しみを増してくれる効果がある。
【００１０】その反面、素手で摘むよりは少々の注意と時間が必要となり、結果的に食べ過ぎを軽減する効果も軽微ながら期待できる。
【００１１】よって、指が汚れたり不衛生であったり箸やスプーンやフォークのように使いにくいという不都合は起きず、手が汚れず衛生的で楽しい食事補助用具を提供できる。
【発明を実施するための最良の手段】
【００１２】図２のように本体を人差し指に装着できる穴１を形成し、下側には親指が入るための空間３を作る。
【００１３】人差し指と親指を使って操作するくちばし型板バネ部分２を、人差し指用の穴１と親指を入れる空間の間に形成する。
【００１４】くちばしの上側は本体に固定し、下側はフリーにする。
【００１５】本体下部に平坦部４を設け自立可能とする。
【００１６】指先を閉じると先端も閉じ、開くと板バネの力で先端が開くような構造とし、この本体を例えば鳥のデザインとしてスナック菓子を挟む先端部はくちばしになるように形成するのである。
【００１７】または、同じようにして犬、猫、ワニ、あるいは魚など、色々な動物の形やその他のデザインに成形する。
【００１８】これらの材質は直接食べ物を摘むものであるので衛星的かつ、洗浄可能なものでありながら同時に強度と柔軟性を持ち合わせたものが良く、理想的にはポリプロピレンかポリエチレンが良いが、前記の性質を備える現在広く使われている素材から選べばよい。パーツごとに最適と思われる素材を組み合わせて作ってもよい。
【産業上の利用の可能性】
【００１９】本発明に係るスナック菓子食事補助用具は工業的に量産が可能であるため、産業上の利用可能性を有する。
【図面の簡単な説明】
【００２０】
【図１】鳥の形をしたスナック菓子食事補助用具の側面図である。
【図２】鳥の形をしたスナック菓子食事補助用具を横から見た断面図である。
【図３】鳥の形をしたスナック菓子食事補助用具を後ろから見た図である。
【符号の説明】
【００２１】１    人差し指を入れる穴
２    くちばし型バネ
３    親指が入る空間
４    本体自立用平坦部
【図１】
2008272394.tif 000003
【図２】
2008272394.tif 000004
【図３】
2008272394.tif 000005
(57)【要約】      （修正有）【課題】ＤＧのスイッチとＤＧを持つ手を繋ぎ、ＤＧ使用時、何らかの原因で手から不意に離れるとスイッチがＯＦＦになり、刃が回転し続けない装置を提供する。【解決手段】ＤＧスイッチ２とＤＧを持つ手を繋ぐものは、約３０センチメートルの細いワイヤー３と腕にとめるフリーバンド４、スイッチに固定する金具を特徴とし、使用時、何らかの原因で手からＤＧが不意に離れるとワイヤーが引っ張られスイッチがＯＦＦにできる装置である。【選択図】図３
2008272918.tif 000002
【特許請求の範囲】
【請求項１】
ディスクグラインダーのスイッチとディスクグラインダーを持つ手を繋ぎ、ディスクグラインダー使用時、何らかの原因で手から不意に離れるとスイッチがＯＦＦになることを特徴とする装置である。
【請求項２】
前記のスイッチとディスクグラインダーを持つ手を繋ぐものは、作業に適した細いワイヤーと腕にとめるバンド、スイッチに固定する金具を特徴とする請求項１の装置である。
【発明の詳細な説明】
【技術分野】
【０００１】本発明は、ディスクグラインダー（以下、ＤＧという）の使用をさらに安全にする為の装置に関する。
【背景技術】
【０００２】従来のＤＧは、図２スイッチのＯＮ  ＯＦＦ２がＤＧの最端部に付いており、スイッチをＯＮにし両手若しくは片手にて使用するので、突発的な弾かれ等によりスイッチが入ったまま、手が離れても刃が回転し続ける構造になっている。
【発明の開示】
【発明が解決しようとする課題】
【０００３】従来のＤＧは、スイッチのＯＮ  ＯＦＦ２がＤＧの最端部に付いており、スイッチをＯＮにし両手若しくは片手にて使用するので、何らかの原因で突発的な弾かれ等により手が離れてもスイッチが入ったままで刃が回転し続け大きな事故が発生している。そこで誤って手を離してしまった場合の事故を最小限にとどめるものである。
【発明が解決するための手段】
【０００４】検討の結果開発したものが、図３ワイヤー３とフリーバンド４をスイッチ２に繋げている。
【０００５】本発明の図５スイッチ２に繋いだワイヤー３とワイヤー３に繋いだフリーバンド４がありフリーバンド４はＤＧを持つ手に取り付け使用する。
【発明の効果】
【０００６】本発明は、何らかの原因で突発的な弾かれ等により、手が離れてＤＧが中吊りとなったときにワイヤー３が引っ張られスイッチが切れるようになっている為、事故を最小限にとどめる効果をもたらし、ブレーキ付きＤＧであればさらに事故を最小限にとどめる効果をもたらす。
【発明を実施するための最良の形態】
【０００７】この発明は一実施形態を図４に示す。
ワイヤー３は作業等に支障が出ない太さ長さであり、ＤＧのスイッチ２に固定しＯＦＦ側の一部５に、てこの原理として穴を開け中吊り図６となったときにスイッチがＯＦＦ側に引っ張られるようになっている。【０００８】フリーバンド４は、マジックテープの輪であり、輪の大きさ及び脱着が容易にできる。
【図面の簡単な説明】
【０００９】
【図１】従来のＤＧ本体側面図である。
【図２】従来のＤＧ本体最端部スイッチ部図である。
【図３】従来のＤＧ本体に本発明を装着した図である。
【図４】従来のＤＧ本体最端部スイッチ部に本発明を装着した図である。
【図５】従来のＤＧと本発明を装着し手で持っている図である。
【図６】何らかの突発的な弾かれ等によりスイッチ３がＯＦＦ側に引っ張られた図である。
【符号の説明】
【０００９】１従来のＤＧ本体
２従来のＤＧ本体ＯＮ  ＯＦＦスイッチ
３ワイヤー
４フリーバンド
５ＯＦＦ側ワイヤー通し穴
６スイッチ部金具
【図１】
2008272918.tif 000003
【図２】
2008272918.tif 000004
【図３】
2008272918.tif 000005
【図４】
2008272918.tif 000006
【図５】
2008272918.tif 000007
【図６】
2008272918.tif 000008
(57)【要約】      （修正有）【課題】非常に状況が困難な場合、暗闇、水の中、泥の中失明した時でも、意識の薄い中でも、酔っぱらっていても、確実にモンキースパナが使えるようにする。【解決手段】ローター２の上の平面状の面に４５°くらいの斜の線３をつける。その線は、凸になって、盛り上がっているのが良い。次善の策として凹も考えられるがベストでない。凸である方が、視覚的に見やすいと思う。ローターの溝を水平線、斜の線との狭ばまり、広がりは、当然口幅４の開閉を暗示し、それに従ってローターを回せば良い。【選択図】図１
2008272920.tif 000002
【特許請求の範囲】
【請求項１】
モンキースパナを、手で握って、親指で回す、ローターの部分で、先端の口幅を、ナット、ボルトの幅に合わせて、開閉して締めたり、緩めたりするのですが、適切に行う為に、通常の状態で握った時、ローターの上部の平面状の面で、
（イ）ローターの凹凸の溝、出っぱりを、水平線と、とらえ、それに対して斜め４５°（目安）線をひく。狭まった方にローターを回すと口幅が閉じる。広がった方に回すと、口幅が開くようにする。表裏両面に記載する。
（ロ）線は、指の感覚でもわかるように凸か凹にする。最高のものとして視覚、構造上凸を１番とする。
【発明の詳細な説明】
【技術分野】
【０００１】本発明は、モンキースパナで、親指でローターを回すことによって、スパナの先端の口幅が、開いたり、閉じたりするのですが、そのローターの上の平面のような、ヶ所に、斜め４５°ぐらいに線をかく。ローターには、たいてい凹凸の溝があって、その溝を水平線にみたて、それに対して４５°ぐらい、あくまで目安です。
それをつけることにより、狭った方向にローターを回すと口幅が閉じ、広くなる方向に回すと、口幅は開らかれる。
【背景技術】
【０００２】従来、自称プロと言われている人でも、モンキースパナが活躍する時は、緊急を用する、稀に使われる時、非常に環境が悪い時などであり、気持に余裕がない時であり、そのようななかで、親指にあたるローターを、どっちに回したら口幅が、開くか閉じるかは、わからないものです。
【発明の効果】
【０００３】しかし、４５°ぐらい（目安）の線が非常に大きく目にとまり、又感じることが出来、無意識と言って良いくらいスムーズに口幅の調整が可能となり、従来、パニックの状態で、モンキースパナが役に立たなかったことから考えても、画期的と思われる。
【発明を実施するための最良の形態】
【０００４】本発明は、非常に状況が困難な場合、暗闇、水の中、泥の中失明した時でも、意識の薄い中でも、酔っぱらっていても、確実にモンキースパナが使えるようになっている。どんな人でも指の感覚があるかぎり口幅の調整が理解される。ちょうど自転車をのれる人は、考えずにのっているように。
【図面の簡単な説明】
【０００５】
【図１】モンキースパナは、機能として、表面、裏面が違っているので表、裏、それぞれ表示されている。
【符号の説明】
【０００６】１  モンキースパナ本体
２  ローター
３  凸の線、次善として凹の線
４  口幅
【図１】
2008272920.tif 000003
(57)【要約】      （修正有）【課題】  固形アスベスト廃棄物を、効率的かつ経済的に、短時間で多量に無害化できる手段を提供する。【解決手段】  含有量５０％以内のアスベスト入りスレートを、陶製またはステンレス製円筒型ボールミルで粉体化した後、熔融助剤としてＮａ２Ｂ４Ｏ７、またはＭｇ２Ｂ４Ｏ７を２０〜３５％混合し、Ｖ型アーク・プラズマ式バーナ４、スラグ排出５、排気洗浄管６、集塵機７を備えたガス化熔融炉３において約８６０℃で３〜５時間熔融する。【選択図】図１
2008272559.tif 000002
【特許請求の範囲】
【請求項１】
アスベスト廃棄物特に今後大量に発生する成型品波型スレ−ト製品を経済的、短時間に大量無害化処理する為、安価な熔融助材の混合、比較的低温度（約８６０℃）３〜５時間以内で熔融無害化する技術で且つ処理中廃棄中にアスベスト繊維が全く飛散しない安全な処理法である。
即ちアスベスト成型品（主に波形スレ−ト）を粉砕し粉状アスベストとし熔融助材を２０〜３５％混合約８６０℃に加熱熔融無害化な固形物とする。
【請求項２】
熔融助材  Ｎａ２Ｂ４Ｏ７又は  Ｍｇ２Ｂ４Ｏ７を粉末アスベストに２０〜３５％混合使用する事を特徴とする技術。
波形スレ−トの粉状化にはスチ−ル製密閉円筒型容器にφ２０〜３０ｍｍのステンレス製１８ｘ８Ｎｉ球を入れ短時間（１０〜３０分）に安全に粉状賭する技術。
【発明の詳細な説明】
【技術分野】
【０００１】  本発明はアスベストの熔融点１５２０℃を熔融助材の混入で大幅に熔融点を引き下げ短時間に連続して大量のスレ−ト等のアスベスト含有成形品を低温８００℃〜９００℃で熔融無害化する。
【背景技術】
【０００２】  本発明工法はアスベスト含有スレ−ト等を荒割りしスチ−ルドラム又は陶製ドラム中にステンレス球体φ３０ｍｍ〜５０ｍｍ入りのボ−ルミルでアスベスト成形品を微粉化し短時間で電気炉又はガス化熔融炉等を用い熔融助材を混合し比較的短時間で３〜４時間で熔融無害化する。
【発明が解決しようとする課題】
【０００３】  本発明は成形アスベストをボ−ルミルで粉砕化した粉末に熔融助材２０〜３０％を混合し約８００℃で完全に粉体化した成形アスベスト入りスレ−トは熔融する。
熔融化物は炉外へ排出冷却固形化したものは酸化マグネシュ−ム等を主体とする無害化物質となっている。
尚、比較的低温処理の為、炉壁の消耗が少なく炉材のメンテナンスも少なく極めて経済的な処理法である。
【背景技術】
【０００４】  アスベストの処理時に成形アスベストの処理は従来の処理法はなく廃棄処理は特別産業廃棄物とし管理型最終処分場でポリエチレン包装材に格納埋立処分しか方法がなかった。
しかし、全国で４７００万トンとも言われる成形アスベスト入りスレ−ト等の廃棄物が今後１０年以内の発生に対応する管理型最終処分場は無く新設処分場は膨大な資金、用地費に加え近隣住民の同意が必要で実現は不可能である。
アスベスト入り加工品の熔融処理にはアスベスト融点１５２０℃の高温処理が必要となり熔融設備は限られ膨大な処分費用が必要となる。
【効果】
【０００５】  本発明は固形アスベスト成形廃棄物を最も効率的且つ経済的に短時間で多量を無害化処理可能な技術である。
【実施例】
【０００６】  アスベスト入りスレ−ト（アスベスト含有量５０％以内）を陶製円筒型又はステンレス円筒型の中に直径Φ３０ｍｍのステンレス球のボ−ルミルで約１０分間粉体化した粉体に熔融助材を３０％混入、ガス化熔融炉で約７００℃（温度測定ゼ−ゲル錐使用）約２時間で完全に熔融、加温中の排気は低圧バキュ−ムポンプを利用濾過瓶での水中に排気を導き、水中のアスベストを定性分析した結果アスベスト繊維は０．００５未満（繊維／ｍｌ）であり、熔融固形分中のアスベスト繊維は０であった。熔融物の固形物中アスベスト繊維は全く認められなかった。
【図面の簡単な説明】
【０００７】
【図１】アスベスト成形品粉末熔融無害化装置炉を示す図である。
【符号の説明】
【０００８】▲１▼    バケットコンベア−
▲２▼    ロ−ラ−コンベア−
▲３▼    熔融炉  （最高温度１６００℃、到達時間  点火後３０分）
▲４▼    Ｖ型ア−ク・プラズマ式バ−ナ−
▲５▼    スラグ排出
▲６▼    排気洗浄管
▲７▼    集塵機
【図１】
2008272559.tif 000003
(57)【要約】【課題】溝入れ糸半田を糸半田溝入れ加工供給装置から引き出すだけで、糸半田溝入れ加工供給装置を手付け半田付けに使用した時、スィッチング操作を省き、半田付け作業工程を軽減させる、あるいは、半田飛散機能を持たない自動糸半田付け機にあっては該自動糸半田付け機を、半田飛散対策機能付き自動糸半田付け機にする。【解決手段】糸半田溝入れ加工供給装置の排出側にダンサローラ、ダンサローラスィングレバー、ダンサローラ位置検出センサ、逆進防止つき引き出しガイドを設ける。【選択図】図1
2008272789.tif 000002
【特許請求の範囲】
【請求項１】
糸半田溝入れ加工供給装置の排出側に溝入れ加工後の糸半田を、糸半田ループを生成する為のダンサローラとダンサローラ位置検出センサを設けて、手引きあるいは駆動力引きにより引き出す装置。
【請求項２】
請求項１のダンサローラで生成された糸半田ループを引き出すための逆進防止機能をもった引き出しガイド。
【請求項３】
引き出し動作が開始されてダンサローラ位置検出センサが感知した時、溝入れ加工を行う円形刃駆動のモータ等が自動回転を開始、引き出し動作が終了した場合、ダンサローラが初期状態の糸半田ループ生成を構成するまで回転し、糸半田溝入れ加工を行う制御。
【請求項４】
請求項１のダンサローラ位置検出センサで可動するタイマの、設定された時間で糸半田溝入れ加工を行うモータ等の制御。
【請求項５】
引き出しによる糸半田溝入れ加工のモータ等制御に関わらず、並列的にフットスィッチ、押しボタン等の操作、信号により該モータ等が回転でき得る制御。
【発明の詳細な説明】
【技術分野】
【０００１】
本発明は、糸半田溝入れ加工供給装置に関する。 
【背景技術】
【０００２】
糸半田溝入れ加工供給装置では、溝入れ加工のための円形刃をモータ等によって回転させるとき、フットスィッチ,押しボタン等、または信号指令によって円形刃が回転し、所要の目的を得る。
【特許文献１】特願平１１−３３２３１０号公報
【特許文献２】特願２００６−１４３３５１号公報
【特許文献３】特願２００６−３５７１７８号公報
【特許文献４】意匠登録第１２７７８８７号公報
【特許文献５】特願２００７−１０７０２７号公報
【発明の開示】
【発明が解決しようとする課題】
【０００３】
糸半田溝入れ加工供給装置を使用して、手付け糸半田付けや自動糸半田付けを行う時、円形刃の回転駆動モータ等に回転指令を与える必要がある、手付け作業にあっては、フットスィッチまたは押しボタン等操作をしなければならない、また、自動糸半田付けにあっては、自動糸半田付け機に糸半田供給機能があり、その糸半田供給機能に溝入れ加工機能が無い時、半田飛散による半田付け工程に於ける生産の稼働率や製品品質の低下、あるいは不良が発生している。
【課題を解決するための手段】
【０００４】
本発明は、糸半田溝入れ加工供装置の排出側にダンサローラとそのローラ位置を検出するセンサを設け、糸半田のループを生成させ、糸半田をダンサローラを介して引き出すように引っ張れば、ダンサローラで生成しているループ分の糸半田を、モータ回転のための指令操作や信号がなくても、ダンサローラ位置検出センサの感知のみで、溝入れ糸半田が供給され得る。
【０００５】
更に、ダンサローラの移動を検出した、ダンサローラ検出センサの開閉スィッチでモータを回転させれば、引き出しているときはｍ、溝入れ糸半田の加工供給も同期して付加する、また、該センサの開閉スィッチでタイマを可動させれば、その設定時間のみ溝入れ加工供給もできる。
【０００６】
引き出し動作を停止した時はダンサローラの移動に伴い、引き出した糸半田が逆進しないための糸半田逆進防止機構を設ける。
【発明の効果】
【０００７】
糸半田手付け半田付けにあってはフットスィッチ、押しボタン等の操作が不要になり半田付け作業工程の軽減が図られる、糸半田溝入れ加工供給機能を持たない糸半田自動半田付け機にあっては、溝入れ加工糸半田による糸半田自動半田付けが可能となる。
【発明を実施するための最良の形態】
【０００８】
糸半田の溝入れ加工装置に排出ガイド、ダンサローラ、ダンサローラを取り付けるスウィングレバー、ダンサローラ検出センサ、及び、逆進防止つき引き出しガイドを設ける。
【実施例１】
【０００９】
図１は、本発明装置の１実施例で１の糸半田溝入れ加工供給装置に引き出し機構を取り付けた正面図で、該装置にセットされた２の半田リールから３の溝入れ加工前の糸半田は溝入れ加工を行う、６の円形刃と対になっている７のガイドローラの溝底に挿入される。
【００１０】
図１の、６の円形刃と７のガイドローラで溝入れ加工されて糸半田が排出されるとき、８の排出ガイドで排出方向を規制し、４の溝入れ加工後糸半田を９のダンサローラに導く。
【００１１】
９のダンサローラは７のガイドローラの軸心を利用して支点とした、１０のスィングレバーに取り付けてあり、溝入れ加工後の４の糸半田部と５の糸半田部でダンサローラを介してループが生成される、引き出し動作があった時はダンサローラが上昇移動し、溝入れ加工後の糸半田をループ分供給し得る。図２はダンサローラが上昇し、糸半田のループ分を供給し得たことを示す。
【００１２】
１０のスイングレバーには１１のダンサローラ位置検出センサを検知する、１２のドグを取り付けてある。図２は１０のスィングレバーが引き出し動作によって上昇し、該センサと１２のドグが離れたことを示し、該センサの開閉スィッチが直接円形刃回転モータの回転を促すか、あるいはタイマを可動させ、タイマの制御に従って該モータが回転する。
【００１３】
１３の引き出しガイドから、手引きあるいは駆動力引きにより、１５の溝入れ糸半田が１６の矢印の方向に引き出されることを示し、該ガイドには１４の糸半田逆進防止機構が取り付けてある。
【図面の簡単な説明】
【００１４】
【図１】糸半田溝入れ加工装置に本発明装置を取り付けた説明図である。
【図２】該糸半田が引き出され、ダンサローラが上昇して該糸半田ループ分が供給されたことを示す説明図である。
【符号の説明】
【００１５】
１    糸半田溝入れ加工供給装置
２    糸半田リール
３    加工前糸半田
４    ダンサローラ前部加工後糸半田
５    ダンサローラ後部加工後糸半田
６    溝入れ加工円形刃
７    ガイドローラ
８    パイプ状排出ガイド
９    ダンサローラ
１０  スィングレバー
１１  ダンサローラ検出センサ
１２  センサドグ
１３  引き出しガイド
１４  糸半田逆進防止機構
１５  引き出し部加工後糸半田
１６  引き出し方向矢印
【図１】
2008272789.tif 000003
【図２】
2008272789.tif 000004
(57)【要約】【課題】お弁当などに使用した醤油、カラシなどの小分け調味料の袋を捨てる前に中の汚れを簡単に洗浄し、又、手を汚したり水浸しにならない小分け調味料袋洗浄機を課題とする。【解決手段】本体容器（１）の上部に押し出し棒（４）と刃（５）の付いた蓋（３）を設け、本体容器（１）の下部には押しあて台（２）を設ける。【選択図】図１
2008272725.tif 000002
【特許請求の範囲】
【請求項１】
本体容器（１）の上部に蓋（３）を設け、蓋（３）の中央上部に押し出し棒（４）を設け、押し出し棒（４）の下部に刃（５）を設け、本体容器（１）の下部に押しあて台（２）を設けたことを特徴とする小分け調味料袋洗浄機。
【発明の詳細な説明】
【技術分野】
【０００１】  本発明は、お弁当などに使用した醤油、カラシなどの小分け調味料の袋を捨てる前に中の汚れをきれいに洗浄する、小分け調味料袋洗浄機に関する。
【背景技術】
【０００２】  従来、小分け調味料の袋を捨てる時は、袋の中身を直接手で洗い流して捨てるか、洗わずにそのまま破棄されていた。
【発明の開示】
【発明が解決しようとする課題】
【０００３】  しかしながら、以上の技術によれば、袋の中身を直接手で洗うのは、手を汚してわずらわしく手間がかかり、洗わずにそのまま燃えるゴミとして破棄されてしまう場合には、環境面で問題があるという欠点があった。
そこで、本発明は、小分け調味料の袋の中の汚れを簡単に洗浄し、又、手を汚したり水浸しにならない小分け調味料袋洗浄機を提供することを課題する。
【課題を解決するための手段】
【０００４】  以上の課題を解決するために、本体容器（１）の上部に蓋（３）を設け、蓋（３）の中央上部に押し出し棒（４）を設け、押し出し棒（４）の下部に刃（５）を設け、本体容器（１）の下部に押しあて台（２）を設けたことを特徴とする小分け調味料袋洗浄機である。
【発明の効果】
【０００５】  本発明の小分け調味料袋洗浄機は、小分け調味料の袋の中の汚れを簡単に洗浄し、又、手を汚したり水浸しにならない。
【発明を実施するための最良の形態】
【０００６】  本発明の一実施形態を、図１に示す。
本体容器（１）の中に小分け調味料の袋と水を入れ、蓋（３）を閉めて、押し出し棒（４）を下げて押しあて台（２）に押しあてると刃（５）が出て小分け調味料の袋に切れ目を入れる。押し出し棒（４）を戻してから本体容器（１）を振ると水と混ざり、小分け調味料の袋の汚れが落ちることを特徴とした小分け調味料袋洗浄機である。
【実施例】
【０００７】  以下、本発明の実施例について説明する。
（イ）  蓋（３）の中央上部に下に押し出せる大バネ（６）を内蔵した押し出し棒（４）を設ける。
（ロ）  押し出し棒（４）の内部に支柱（７）を設け、下に押し出せる小バネ（８）付きのカバー（９）を持った刃（５）と連動するように取り付ける。
（ハ）  本体容器（１）の下部には押しあて台（２）を設ける。
（ニ）  本体容器（１）の中をカバー（９）と刃（５）がスムーズに降りるためにレール（１０）を設ける。
本発明は、以上のような構造でこれを使用するときは本体容器（１）の中に小分け調味料の袋と水を入れ、蓋（３）を閉めて押し出し棒（４）を下げて押しあて台（２）に押しあてる。すると、押し出し棒（４）の中の支柱（７）の下に付いたカバー（９）の中の刃（５）が出て来て、小分け調味料の袋に切れ目を入れる。押し出し棒（４）を放すと刃（５）は上に戻り、切れ目の入った小分け調味料の袋と水が入った本体容器（１）を良く振ると小分け調味料の袋の中の汚れが洗浄できる。
【図面の簡単な説明】
【０００８】
【図１】本発明の斜視図
【図２】本発明の使用状態を示す斜視図
【符号の説明】
【０００９】  １  本体容器
２  押しあて台
３  蓋
４  押し出し棒
５  刃
６  大バネ
７  支柱
８  小バネ
９  カバー
１０  レール
【図１】
2008272725.tif 000003
【図２】
2008272725.tif 000004